(57)【要約】      （修正有）【課題】多くの材料費、加工工程および加工時間を必要とせず、容器の開口部に蓋体を押圧することにより、蓋体と容器との装着性を高めることができる収容容器を提供する。【解決手段】本収容容器は、容器本体２と、容器本体２の開口部３に装着される蓋体１０とで構成される収容容器１であって、前記蓋体１０に、蓋体１０を容器本体２に押圧して装着した際、開蓋方向への移動を抑止する蓋係止部１２を備えたことを特徴とする。また前記容器本体２の内周に、蓋係止部１２に係止される容器係止部４を形成した。【選択図】図１
0003159688.tif 000002
【実用新案登録請求の範囲】
【請求項１】
容器本体と、容器本体の開口部に装着される蓋体とで構成される収容容器であって、前記蓋体に、蓋体を容器本体に押圧して装着した際、開蓋方向への移動を抑止する蓋係止部を備えたことを特徴とする収容容器。
【請求項２】
前記容器本体の内周に、蓋係止部に係止される容器係止部を形成した請求項１記載の収容容器。
【請求項３】
前記蓋係止部は、蓋体を容器本体の開口部に押圧した際に内側方向に移行する保持片と、容器係止部に係止する突出部とで構成される請求項１または２記載の収容容器。
【請求項４】
前記収容容器は六角柱状に形成されている請求項１記載の収容容器。
【請求項５】
前記収容容器内に、蓋体の内方向への移行を抑止するケース体を収容させた請求項１乃至４のうちいずれか１項に記載の収容容器。
【考案の詳細な説明】
【技術分野】
【０００１】  本考案は、大掛かりな装置や作業工程を必要とせず、蓋体と容器との装着性を高めることができる収容容器に関する。
【背景技術】
【０００２】  一般的に、物品を収容する容器は、開口部を有する本体と、前記開口部に装着する蓋体とで形成されている。通常の蓋体は、螺子構造を介して開口部に着脱自在に装着されている。また容器の開口部に強固に固着されている場合、専用用具を使用して取り外される。
【先行技術文献】
【特許文献】
【０００３】  また、容器に上蓋を封止する方法の先行技術として、金属製の容器と上蓋とのあいだに絶縁樹脂をはさみ、この絶縁樹脂を熱融着して封止する場合に耐圧性の高い封止方法がある（例えば特許文献１参照）。
上掲特許文献１の金属容器の封止方法は、金属製容器の開口部に金属製上蓋を挿入した状態で、前記金属製容器の開口部の周縁部に、レーザ光を透過する熱可塑性樹脂製絶縁ガスケットを介して、前記金属製容器を、かしめ加工したのち、前記かしめ加工したかしめ加工部、および、前記絶縁ガスケットにレーザ光を照射することを特徴とする。
【特許文献１】特開２００９−１２３５１６号公報
【考案の概要】
【考案が解決しようとする課題】
【０００４】  しかしながら、上掲特許文献１の金属容器の封止方法においては、金属製の容器に上蓋を封止する際、大掛かりな設備を要するとともに、多くの材料費、加工工程および加工時間を必要とした。【０００５】  そこで本考案は上記の点に鑑み、多くの材料費、加工工程および加工時間を必要とせず、容器の開口部に蓋体を押圧することにより、蓋体と容器との装着性を高めることができる収容容器を提供することにある。
【解決を解決するための手段】
【０００６】  上記課題を解決するために本考案の収容容器は、容器本体と、容器本体の開口部に装着される蓋体とで構成される収容容器であって、前記蓋体に、蓋体を容器本体に押圧して装着した際、開蓋方向への移動を抑止する蓋係止部を備えたことを特徴とする。
【０００７】  また前記容器本体の内周に、蓋係止部に係止される容器係止部を形成した。
【０００８】  また前記蓋係止部は、蓋体を容器本体の開口部に押圧した際に内側方向に移行する保持片と、容器係止部に係止する突出部とで構成される。
【０００９】  また、前記収容容器は六角柱状に形成されている。
【００１０】  さらに前記収容容器内に、蓋体の内方向への移行を抑止するケース体を収容させることが望ましい。
【考案の効果】
【００１１】  蓋体に、蓋を押圧して装着した際、開蓋方向への移動を抑止する蓋係止部を備え、さらに容器本体の内周に、蓋係止部に係止される容器係止部を形成したことにより、大掛かりな設備や材料を必要とせず、蓋体と容器との装着性を高めることができる。
【図面の簡単な説明】
【００１２】
【図１】本考案における収容容器の分解した状態の全体斜視図である。
【図２】容器本体の内部構造を示す斜視図である。
【図３】収容容器の断面図である。
【図４】内部にケース体を収容させた収容容器の断面図である。
【図５】容器本体に蓋体を装着する状態の拡大断面図である。
【考案を実施するための形態】
【００１３】  以下、本考案の収容容器における実施の形態を図面に基づいて説明する。
本考案の収容容器は、大掛かりな設備や材料を必要とせず、蓋体と容器との装着性を高めることを特徴とする。
【００１４】  図１に示す収容容器１は、多角柱状に形成された容器本体２と、容器本体２の開口部３に装着される、多角形状の蓋体１０とで構成される。
【００１５】  容器本体２は、耐水性、防錆性、耐久性に優れた金属、特にステンレスにて形成されている。また前記容器本体２は、底部に開口部３が設けられている。また、前記容器本体２は多角形、特に、強度や接合性に優れた六角柱状に形成されている。
【００１６】  また容器本体２の内周には、図２に示すように、蓋係止部１２に係止される容器係止部４が具備されている。容器係止部４は、容器本体２の開口部３の先端部を内側に折曲することにより形成することができる。また前記容器係止部４は、各片（図中６片）毎に具備されており、容器係止部４の先端部は、容器本体２の有する厚さによる係止突部５が形成される。
【００１７】  蓋体１０は、底板１１と、底板１１上に具備された蓋係止部１２とで構成されている。また前記底板１１と蓋係止部１２とは、容器本体２と同じ素材であるステンレスにて形成されている。
【００１８】  底板１１は、容器本体２と同じ六角形を呈しており、装着時、容器本体２の内周に接触される大きさを有する。
【００１９】  蓋係止部１２は、底板１１の上面であって、各片毎にそれぞれ装着されている。前記蓋係止部１２は、長尺上の板材を複数屈曲させて形成されており、底板１１の上面に固着される底面部１３と、外方へ配置される第一屈曲部１４と、内方へ配置される第二屈曲部１５と、外方へ延設される係止片１６とで構成されている。また特に、前記係止片１６は、略中央部にて下方に傾斜状に折曲されており、先端部分には、前記第一屈曲部１４より外方に突出されている突出部１７が形成されている。さらに、前記係止片１６は、第一屈曲部１４と第二屈曲部１５とに固定されている。
【００２０】  また他の好適例として、図４に示すように、本考案の収容容器１内に、蓋体１０の内方向への移行を抑止するケース体２０を収容させることが望ましい。ケース体２０は樹脂等の素材にて形成されており、内部には所望の部材が収容される。また前記ケース体２０は、蓋係止部１２の突出部１７と、容器係止部４の係止突部５とが係止される位置を保持する大きさに形成されている。
【００２１】  次に、容器本体２の開口部３に蓋体１０を装着させる状態を図５の（ａ）（ｂ）（ｃ）に基づいて説明する。
【００２２】  先ず（ａ）に示すように、収容容器２の底部の開口部３に、蓋係止部１２が上面に配置された状態で蓋体１０を押圧する。
【００２３】  蓋体１０を押圧すると、（ｂ）に示すように、蓋体１０の突出部１７が、容器本体２の容器係止部４の側面に押圧され内部に押し込められる。
【００２４】  さらに蓋体１０を押圧すると、（ｃ）に示すように、蓋体１０の突出部１７が、容器本体２の内周に接触され、さらに、容器係止部４の係止突部５に係止される。この状態で、蓋体１０の突出部１７は、容器係止部４の係止突部５に強固に係止されるため、蓋体２が下方（開蓋方向）へ移行することを防ぐ。
【００２５】  またさらに、図４に示すように、収容容器１内にケース体２０を収容させることで、蓋体２の内側方向への移行も防ぐことができる。
【符号の説明】
【００２６】１    収容容器
２    容器本体
３    開口部
４    容器係止部
５    係止突部
１０  蓋体
１１  底板
１２  蓋体係止部
１３  底面部
１４  第一屈曲部
１５  第二屈曲部
１６  係止片
１７  突出部
２０  ケース体
【図１】
0003159688.tif 000003
【図２】
0003159688.tif 000004
【図３】
0003159688.tif 000005
【図４】
0003159688.tif 000006
【図５】
0003159688.tif 000007
【手続補正書】
【提出日】平成22年2月15日(2010.2.15)
【手続補正１】
【補正対象書類名】実用新案登録請求の範囲
【補正対象項目名】請求項３
【補正方法】変更
【補正の内容】
【請求項３】
前記蓋係止部は、蓋体を容器本体の開口部に押圧した際に内側方向に移行する保持片と、容器係止部に係止する突出部とで構成される請求項２記載の収容容器。